(57)【要約】      （修正有）【課題】洗顔料を簡単に泡立てることができ、且つ常に清潔が保たれる化粧品用チューブヘッドの提供。【解決手段】ヘッドは、化粧品が収容されたチューブ本体（汎用品）に装着される。ヘッドは、ヘッド本体１７と、ブラシ組立体１８と、化粧板１９とを備える。ヘッド本体１７は、基部２０及び案内筒を有する。基部２０は円柱状を呈し、その内部に嵌合凹部が設けられている。嵌合凹部は案内筒と連通しており、チューブ本体から押し出された化粧品は、嵌合凹部を通過してブラシ組立体１８の上面３６から吐出される。ブラシ組立体１８は、ブラシ本体３３を備える。線径（平均線径）が０．０１９ｍｍである獣毛が多数束ねられることにより、ブラシ本体３３が構成される。【選択図】図４
2017158939.tif 000002
【特許請求の範囲】
【請求項１】
内部に化粧品が収容される収容室が区画されると共に当該収容室に連通するノズル部が一体的に形成されたチューブ本体に適用される化粧品用チューブヘッドであって、
上記ノズル部に嵌合する嵌合凹部が形成された基部、及び当該基部に突設され、上記化粧品を案内する案内筒を有するヘッド本体と、
当該ヘッド本体に設けられたブラシとを備え、
当該ブラシは、線径が０．０１ｍｍ〜０．０４ｍｍである多数の繊維が長手方向に揃った繊維束からなり、当該繊維束に上記案内筒が挿入され上記化粧品が導出される導出路が貫通形成されている化粧品用チューブヘッド。
【請求項２】
上記ブラシは、上記繊維の長手方向と交差する方向に拡がる平坦面を備えており、当該平坦面に上記導出路が開口している請求項１に記載の化粧品用チューブヘッド。
【請求項３】
上記ブラシを上記ヘッド本体に固定するロック機構が設けられている請求項１又は２に記載の化粧品用チューブヘッド。
【請求項４】
上記ロック機構は、
上記ブラシに設けられ、上記基部に載置される繊維保持器と、
上記ブラシが挿通される窓が形成され、当該窓に上記ブラシが挿通された状態で上記基部に螺合する螺合部及び上記ブラシを上記基部との間で挟持する挟持部を有する固定リングとを備えている請求項３に記載の化粧品用チューブヘッド。
【発明の詳細な説明】
【技術分野】
【０００１】
本発明は、洗顔用ジェル等の液状、ゲル状ないしジェル状の化粧品を収容する化粧品用チューブに採用されるヘッドの構造に関する。
【背景技術】
【０００２】
たとえば基礎化粧品としての洗顔用ジェルは、一般に軟質のチューブ容器に収容される（たとえば、特許文献１参照）。特許文献１に開示されているチューブ容器は、化粧品が収容されるチューブ本体と、これに一体的に設けられたヘッドとを有する。ヘッドの先端に所定形状にデザインされたスポンジ又はブラシが取り付けられている。ユーザがチューブ本体を押圧することによって、化粧品がヘッドから絞り出される。ユーザは、上記スポンジ又はブラシを用いて上記化粧品を肌の上で延ばし、泡立てる。
【先行技術文献】
【特許文献】
【０００３】
【特許文献１】特開２００８−８００８６号公報
【発明の概要】
【発明が解決しようとする課題】
【０００４】
ユーザが効果的な洗顔を行うためには、絞り出された化粧品からきめ細かな泡が多量に形成されなければならないという要請（第１の要請）がある。
【０００５】
しかし、従来のスポンジやブラシは、そのような要請に十分に応えることができなかった。また、泡立てられた化粧品によって顔面がスクラブされる際に、肌へのダメージを確実に回避したいという強い要請（第２の要請）もある。
【０００６】
他方、商品としての化粧品の付加価値向上のため、従来からチューブ容器の外観デザインが工夫されている。そのため、チューブ容器の多くは専用設計がなされており、前述のように、チューブ本体及びヘッドが当該化粧品用としてデザインされる。この場合、ヘッドに設けられるスポンジやブラシの形状も専用のデザインが施される。また、ヘッドに設けられたスポンジやブラシは、ユーザの肌に直接触れるものであるため、肌にとって優しく且つ清潔を保つために洗浄が可能であることが要請される（第３の要請）。
【０００７】
しかし、従来のヘッドは、デザイン重視の設計がなされるためにチューブ本体と一体に形成されており、上記第３の要請に応えることは困難である。しかも、ヘッドを無理に洗浄すれば、洗浄液がヘッドを介してチューブ本体に浸入してしまうおそれがあり、事実上、洗浄は不可能であった。
【０００８】
この発明は、かかる背景のもとになされたものであって、その目的は、ユーザにとって肌に優しく且つ効果的な洗顔を可能とし、しかもヘッドの清潔が常に保持され得る化粧品用チューブヘッドを提供することである。
【課題を解決するための手段】
【０００９】
(1) 本発明に係る化粧品用チューブヘッドは、内部に化粧品が収容される収容室が区画されると共に当該収容室に連通するノズル部が一体的に形成されたチューブ本体に適用される。この化粧品用チューブヘッドは、上記ノズル部に嵌合する嵌合凹部が形成された基部、及び当該基部に突設され、上記化粧品を案内する案内筒を有するヘッド本体と、当該ヘッド本体に設けられたブラシとを備える。当該ブラシは、線径が０．０１ｍｍ〜０．０４ｍｍである多数の繊維が長手方向に揃った繊維束からなり、当該繊維束に上記案内筒が挿入され上記化粧品が導出される導出路が貫通形成されている。
【００１０】
この構成によれば、ヘッド本体の基部がチューブ本体のノズル部に嵌合される。このとき、当該ノズル部は、上記基部の嵌合凹部と嵌め合わされる。ユーザがチューブ本体を握る（絞る）ことにより、チューブ本体の収容室に収容された化粧品（典型的には洗顔ジェル）が上記ノズル部を通じて吐出され、さらに、この化粧品は、上記基部に設けられた案内筒に沿って案内される。この案内筒にブラシが係合しており、上記化粧品は、上記案内筒からブラシの導出路を介して当該ブラシの表面に露出する。このブラシは、きわめて細径の繊維の束からなるので、ユーザは、当該表面に露出した化粧品を肌の上できわめて細い泡にすることができるうえ、当該泡を用いて肌に刺激を与えることなくスクラブすることができる。ブラシを構成する繊維は、線径が０．０１５ｍｍ〜０．０３ｍｍの獣毛であることが望ましい。獣毛は、長手方向に沿って線径が変化し、このことがよりきめ細かい泡の形成を促進すると共に肌により優しいからである。ただし、ブラシを構成する繊維が獣毛であることに限定されるべきではなく、線径が０．０１ｍｍ〜０．０４ｍｍである樹脂も採用され得る。
【００１１】
(2) 上記ブラシは、上記繊維の長手方向と交差する方向に拡がる平坦面を備えており、当該平坦面に上記導出路が開口しているのが好ましい。
【００１２】
この構成では、上記ブラシの導出路から露出した化粧品は、直ちに上記平坦面に担持される。したがって、ユーザは、上記化粧品を肌のうえでより簡単に泡立てることができる。この平坦面はブラシのを構成する繊維の長手方向に直交しても良いし、ブラシが斜めにカットされることにより形成される面でもよい。
【００１３】
(3) 上記ブラシを上記ヘッド本体に固定するロック機構が設けられているのが好ましい。このロック機構は、上記ブラシに設けられ、上記基部に載置される繊維保持器と、上記ブラシが挿通される窓が形成され、当該窓に上記ブラシが挿通された状態で上記基部に螺合する螺合部及び上記ブラシを上記基部との間で挟持する挟持部を有する固定リングとを備えている。
【００１４】
この構成によれば、ブラシが上記ヘッド本体に固定されるので、ユーザが上記化粧品を泡立てる作業及びスクラブする作業がより一層容易になる。上記固定リングは、上記ブラシに被せられた状態で上記基部に螺合される。このとき、当該ブラシは、上記固定リングの窓から突出する。また、上記固定リングの挟持部は、上記基部と協働して上記ブラシに設けられた繊維保持器を挟み込む。
【発明の効果】
【００１５】
この発明によれば、ヘッド本体にブラシが設けられているから、ユーザは、簡単に化粧品を泡立てることができる。しかも、ブラシを構成する繊維はきわめて細いので、ユーザは、泡立てられた化粧品を用いて肌を優しくスクラブすることかできる。また、ヘッド本体は、チューブ本体と一体的に形成されるものではなく嵌合されているから、ヘッド本体がチューブ本体から取り外される。その結果、ブラシの洗浄が可能になり、常に清潔が保たれる。加えて、ヘッド本体がチューブ本体に着脱されるから、汎用品としてのチューブ本体が採用され得るという利点がある。
【図面の簡単な説明】
【００１６】
【図１】図１は、本発明の一実施形態に係るヘッド１２が採用された化粧品用チューブ容器１０の分解斜視図である。
【図２】図２は、本発明の一実施形態に係るヘッド１２が採用された化粧品用チューブ容器１０の分解斜視図である。
【図３】図３は、化粧品用チューブ容器１０の断面図である。
【図４】図４は、ヘッド１２の要部斜視図である。
【図５】図５は、ブラシ組立体１８の分解斜視図である。
【図６】図６は、ヘッド１２がチューブ本体１１に取り付けれた状態の断面図である。
【図７】図７は、本実施形態の変形例に係るブラシ組立体１８の分解斜視図である。
【発明を実施するための形態】
【００１７】
以下、本発明の好ましい実施形態が、適宜図面が参照されながら説明される。なお、本実施の形態は、本発明に係る化粧品用チューブヘッドの一態様にすぎず、本発明の要旨を変更しない範囲で実施態様が変更されてもよいことは言うまでもない。
【００１８】
［化粧品用チューブ容器の概要］
【００１９】
図１及び図２は、本発明の一実施形態に係る化粧品用チューブヘッド（以下、「ヘッド」と称される。）１２が採用された化粧品用チューブ容器１０の分解斜視図である。図３は、化粧品用チューブ容器１０の断面図である。
【００２０】
化粧品用チューブ容器１０は、チューブ本体１１、上記ヘッド１２及びカバー１３を備えている。
【００２１】
チューブ本体１１は、典型的には可撓性を備えた合成樹脂からなる。化粧品用としてのチューブ本体１１の構成は規格化されており、本実施形態に係るチューブ本体１１はいわゆる汎用品が採用される。もっとも、チューブ本体１１が汎用品である必要はない。図３が示すように、チューブ本体１１は、収容部１４及びノズル部１５を備えている。このノズル部１５に雄ねじ２４が形成されている。収容部１４及びノズル部１５は一体的に形成されており、ノズル部１５は、収容部１４の上縁に連続して漏斗状に形成されている。収容部１４は筒状に形成されており、内部に収容室１６が区画されている。この収容室１６に液状またはゲル状の化粧品（本実施形態では洗顔ジェル）が収容される。ノズル部１５は、収容室１６に連通しており、チューブ本体１１が撓むと収容室１６内の化粧品がノズル部１５を介して外部へ吐出されるようになっている。
【００２２】
本実施形態に係る化粧品用チューブ容器１０の特徴とするところは、チューブ本体１１に上記ヘッド１２が着脱自在に取り付けられており、これにより、チューブ本体１１が専用設計されたものではなく汎用品が採用され得る点、及びヘッド１２が後述の構造を備えており、これにより、ユーザにとって化粧品を容易に泡立てて且つ肌に刺激を与えることなくスクラブすることができ、しかもヘッド１２を常に清潔に保つことができる点である。また、カバー１３は、ヘッド１２に着脱自在に嵌め合わされるようになっており、ヘッド１２を囲繞し保護することができる。
【００２３】
［ヘッド］
【００２４】
図４は、ヘッド１２の要部斜視図である。
【００２５】
ヘッド１２は、ヘッド本体１７と、ブラシ組立体１８と、化粧板１９（特許請求の範囲に記載された「固定リング」に相当）を備える。
【００２６】
図５は、ブラシ組立体１８の分解斜視図、図６は、ヘッド１２がチューブ本体１１に取り付けれた状態の断面図である。
【００２７】
図３〜図５が示すように、ヘッド本体１７は、基部２０及び案内筒２１を有し、これらは樹脂により一体的に形成されている。基部２０の外形形状は円柱状に形成されている。基部２０の内部に嵌合凹部２２が設けられており、当該嵌合凹部２２は、基部２０の下面２３に開口している。この嵌合凹部２２は、上記下面２３に開口する傘形部２５及びこれに連続して上方へ延びる真直部２６を有し、この真直部２６に雌ねじ２７が形成されている。この雌ねじ２７は、チューブ本体１１の雄ねじ２４と螺合するようになっている。傘形部２５の内壁面形状はノズル部１５の外形に対応している。したがって、図６が示すように基部２０がチューブ本体１１と螺合することにより、基部２０は、チューブ本体１１に滑らかに連続する。
【００２８】
なお、基部２０の周面に段部２８が形成されている。この段部２８は、基部２０が縮径されることにより形成されている。この段部２８は、カバー１３が基部２０に被せられた際に当該カバー１３の座を構成している。すなわち、カバー１３が基部２０に取り付けられた状態で、カバー１３は基部２０と滑らかに連続する。もっとも、この段部２８は省略されてもよい。
【００２９】
図３が示すように、基部２０の上部が縮径され、小径部２９が形成されている。小径部２９の上面３０は円形の平面である。小径部２９の周面に雄ネジ３１が形成されている。この小径部２９の中央に案内筒２１が立設されており、真っ直ぐに上方へ延びている。案内筒は、基部２０の嵌合凹部２２と連通している。
【００３０】
ブラシ組立体１８は、図３及び図５が示すように底板３２（特許請求の範囲に記載された「繊維保持器」に相当）及び当該底板３２に立設されたブラシ本体３３（特許請求の範囲に記載された「ブラシ」に相当）とを備えている。底板３２は、樹脂又は金属等により構成される。ブラシ本体３３は、多数の獣毛（本実施形態ではカシミア）が束ねられた繊維束である。この獣毛の線径（平均線径）は、０．０１９ｍｍである。獣毛の種類は特に限定されるものではないし、この獣毛の線径は、０．０１ｍｍ〜０．０４ｍｍ（好ましくは、０．０１５ｍｍ〜０．０３ｍｍ）の獣毛であることが望ましい。ブラシ本体３３がかかる材料から構成されることによる作用効果は後述される。
【００３１】
底板３２は、所定の肉厚を有する円盤状を呈する。この底板３２の外径は、基部２０の上面３０の外径と略一致している。本実施形態では、底板３２の中央部に矩形の凹部４４が設けられている。この凹部４４の底部中央に貫通孔４５が設けられており、この貫通孔４５の内径は、案内筒２１の外径に対応している。底板３２の凹部４４内にトレイ４６が嵌め込まれている。このトレイ４６は、金属又は樹脂からなり、ブラシ本体３３を結束している。もっとも、このトレイ４６は省略され得る。トレイ４６の底部中央に貫通孔４７が設けられている。この貫通孔４７は、上記貫通孔４６と同様の形状であり、両者の中心は一致している。ブラシ本体３３の外形形状は矩形の平板状であるが、この外形形状は、トレイ４６の内周面形状によって規定されている。このトレイ４６によってブラシ本体３３の形状が確実に維持される。ブラシ本体３３の上面３６（特許請求の範囲に記載された「平坦面」に相当）は、平坦な平面である。本実施形態では、この上面３６は、ブラシ本体３３の長手方向（すなわち、ブラシ本体３３を構成する繊維の長手方向）と直交している。なお、後述のように、上面３６が傾斜していてもよい。
【００３２】
ブラシ本体３３の下面の中央から真っ直ぐ上方に貫通路３７（特許請求の範囲に記載された「導出路」に相当）が形成されている。この貫通路３７は、ブラシ本体３３の下面に開口すると共にブラシ本体３３を上下方向に貫通している。これにより、上面３６に開口３８が形成されている。貫通路３７の内径は上記案内筒２１の外径に対応しており、案内筒２１は、ブラシ組立体１８に挿通され、ブラシ本体３３に嵌め合わされるようになっている。
【００３３】
図３が示すように、化粧板１９は、円形のトレイ状に形成されている。化粧板１９は樹脂又は金属により構成され得る。化粧板１９は、内周面に雌ねじ３９（特許請求の範囲に記載された「螺合部」に相当）が形成されている。化粧板１９の内径は、上記基部２０の小径部２９の外径に対応しており、上記雌ねじ３９が上記小径部２９に形成された雄ねじ３１と螺合することができるようになっている。化粧板１９の天板部４０（特許請求の範囲に記載された「挟持部」に相当）は、円形の平板状を呈し、中央部に窓４１が形成されている。この窓４１の形状は略矩形であり、図６が示すようにブラシ本体３３が挿通されるようになっている。窓４１の形状は特に限定されるものではなく、ブラシ本体３３の外形形状に対応してブラシ本体３３が挿通されるものであればよい。化粧板１９の外径は、上記基部２０の段部２８の外径に対応している。
【００３４】
ヘッド１２は、次の要領でチューブ本体１１に組み付けられる。
【００３５】
図３及び図６が示すように、基部２０がチューブ本体１１と螺合される。具体的には、ノズル部１５が嵌合凹部２２に嵌め込まれ、ノズル部１５の雄ねじ２４と基部２０の雌ねじ２７が螺合し、両者は確実に固定される。基部２０の案内筒２１にブラシ組立体１８が被せられる。具体的には、案内筒２１がブラシ組立体１８に差し込まれ、ブラシ本体３３の貫通路３７に嵌め込まれ、このとき、ブラシ組立体１８の底板３２が基部２０の上面３０に載置される。さらに、化粧板１９が基部２０に被せられる。このとき、ブラシ組立体１８のブラシ本体３３が化粧板１９の窓４１を貫通し、化粧板１９から突出する（図６参照）。
【００３６】
この化粧板１９が基部２０の小径部２９と螺合する。これにより、ブラシ組立体１８の底板３２は、基部２０の上面３０と化粧板１９の天板部４０との間に挟み込まれて固定される。つまり、ブラシ組立体１８をヘッド本体１７に固定するロック機構が構成される。化粧板１９の外径が基部２０の段部２８の外径に対応しているから、図６が示すように、化粧板１９と上記段部２８とが滑らかに連続する。チューブ本体１１にヘッド１２が組み付けられることにより、収容室１６は、嵌合凹部２２及び貫通路３７を介してブラシ本体３３の上面３６と連通する。
【００３７】
カバー１３は、樹脂又は金属からなり、円筒状を呈する。カバー１３の上面部４２の中央に栓部材４３が設けられ、同図が示すように垂下している。本実施形態では、栓部材４３は丸棒状に形成されているが、栓部材４３の外形形状は特に限定されるものではなく、ブラシ本体３３の上面３６に形成された開口３８を塞ぐものであればよい。本実施形態では、栓部材４３が上記開口３８に挿入する。カバー１３の内径は、基部２０の段部２８の外径に対応しており、カバー１３の外径は、基部２０の外径に対応している。したがって、カバー１３が基部２０に取り付けられた状態で、カバー１３と基部２０とが滑らかに連続している。
【００３８】
［化粧品用チューブ容器１０の使い方］
【００３９】
ユーザがカバー１３を取り外すことにより、ブラシ本体３３が露出する。ユーザがチューブ本体１１を握ると、収容室１６に収容された化粧品がブラシ本体３３の上面３６に吐出される。当該上面３６は平坦面である。しかも、ブラシ本体３３は、きわめて細径の獣毛の束からなる。したがって、ユーザは、上記表面３６に露出した化粧品を肌の上できわめて細い泡にすることができ、しかも、当該泡を用いて肌に刺激を与えることなくスクラブすることができる。さらに、ヘッド１２がチューブ本体１１から取り外されるので、ヘッド本体３３の洗浄が可能になり、ヘッド１２が常に清潔に保たれる。なお、ブラシ本体３３は、樹脂製の毛の束から構成されていてもよい。この場合、樹脂製の毛の太さ（線径）は０．０１ｍｍ〜０．０４ｍｍに設定され、好ましくは、０．０１５ｍｍ〜０．０３ｍｍである。
【００４０】
本実施形態では、図４が示すように、化粧品が吐出される開口３８がブラシ本体３３の上面３６に位置する。したがって、化粧品は、直ちに上面３６に担持され、ユーザは、化粧品をより簡単に泡立てることができる。
【００４１】
加えて、基部２０の上面３０と化粧板１９の天板部４０とによりブラシ組立体１８がヘッド本体１７に固定されるので、ユーザが化粧品を泡立てる作業がより一層容易になる。なお、上記ロック機構が省略されてもよい。つまり、化粧板１９が省略されてもよい。また、カバー３も省略可能である。その場合、ブラシ本体３３は、上記基部２０の上面３０に直接取り付けられる。
【００４２】
図７は、本実施形態の変形例に係るブラシ組立体１８の分解斜視図である。
【００４３】
この変形例では、ブラシ本体３３は、互いに背中合わせに配置された第１面３４及び第２面３５を有し、上面３６が傾斜している。すなわち、この上面３６は、上記第１面３４及び第２面３５を連続するようにブラシ本体３３が斜めに切断されることにより形成されている。この上面３６の傾斜角度は特に限定されるものではない。
【００４４】
また、ブラシ本体３３の断面形状は、矩形のほか円形、多角形、星形等々さまざまな形状に設計変更され得る。
【符号の説明】
【００４５】
１０・・・化粧品用チューブヘッド
１１・・・チューブ本体
１２・・・ヘッド
１３・・・カバー
１４・・・収容部
１５・・・ノズル部
１６・・・収容室
１７・・・ヘッド本体
１８・・・へら部材
１９・・・化粧板
２０・・・基部
２１・・・案内筒
２２・・・嵌合凹部
２３・・・下面
２４・・・雄ねじ
２５・・・傘形部
２６・・・真直部
２７・・・雌ねじ
２８・・・段部
２９・・・小径部
３０・・・上面
３１・・・雄ねじ
３２・・・底板
３３・・・へら本体
３４・・・第１面
３５・・・第２面
３６・・・助面
３７・・・貫通路
３８・・・開口
３９・・・雌ねじ
４０・・・天板部
４１・・・窓
４２・・・上面部
４３・・・栓部材
４４・・・凹部
４５・・・貫通孔
４６・・・トレイ
４７・・・貫通孔
【図１】
2017158939.tif 000003
【図２】
2017158939.tif 000004
【図３】
2017158939.tif 000005
【図４】
2017158939.tif 000006
【図５】
2017158939.tif 000007
【図６】
2017158939.tif 000008
【図７】
2017158939.tif 000009